(57)【要約】      （修正有）【課題】製造管理・在庫管理・出荷管理の手間やコスト等を抑制することができ、施工現場での作業効率性が高く、種々の任意の機能を付加することができる汎用性に優れた配管吊下支持具を提供する。【解決手段】配管を抱持するバンド抱持部１１とバンド抱持部の上端部に連接されたバンド端部１３を有して成る配管支持具であり、天井スラブ等の取付面に吊下固定される吊りボルトに、吊下接続部材を介してバンド端部を接続することにより取付面から略鉛直状態で１点吊下支持が可能である配管吊下支持具１において、バンド抱持部には、長孔部１１Ａが円環方向に延伸した状態で形成されると共に長孔部の長辺の一方又は両方に横方向に切欠する複数の掛止孔１１Ｂの各々が長孔部に連設状態で形成されており、複数の掛止孔から選択される任意の掛止孔に、任意の機能を有する部材を取付け、１点吊下支持に加えて任意の機能を付加することが可能であることを特徴とする。【選択図】図１
2020153478.tif 000002
【特許請求の範囲】
【請求項１】
配管を抱持するバンド抱持部と該バンド抱持部の上端部に連接されたバンド端部を有して成る配管支持具であり、
天井スラブ等の取付面に吊下固定される吊りボルトに、タンバックルの如き吊下接続部材を介して前記バンド端部を接続することにより前記取付面から略鉛直状態で１点吊下支持が可能である配管吊下支持具において、
前記バンド抱持部には、長孔部が円環方向に延伸した状態で形成されると共に該長孔部の長辺の一方又は両方に配管軸方向である横方向に切欠する複数の掛止孔の各々が長孔部に対して連設状態で形成されており、
この複数の掛止孔から選択される任意の掛止孔に、任意の機能を有する部材を取付けることにより、配管の１点吊下支持に加えて任意の機能を付加することが可能な構成を有することを特徴とする配管吊下支持具。
【請求項２】
付加する任意の機能を有する部材が、
配管を抱持するバンド抱持部の内周面に、抱持する配管の外周面に当接する滑り支持部材を着脱可能に配設して、前記配管を該配管とバンド抱持部との間に滑り支持部材を介在させた状態で抱持支持することにより、熱変化による軸方向伸縮やウォーターハンマー現象等によって軸方向に揺動乃至は移動する配管を伸縮・揺動・移動を許容した状態で支持する機能を有するものであり、
前記バンド抱持部の内周面に接する側である前記滑り支持部材の裏面に凸部が設けられており、該凸部を前記複数の掛止孔から選択される任意の掛止孔に入り込ませることによって前記滑り支持部材を前記バンド抱持部に取付可能な構成であること、
を特徴とする請求項１に記載の配管吊下支持具。
【請求項３】
前記滑り支持部材が、配管との当接部分に少なくとも低摩擦性材料を有する構成であることを特徴とする請求項２に記載の配管吊下支持具。
【請求項４】
付加する任意の機能を有する部材が、
配管を抱持するバンド抱持部の内周面に、抱持する配管の外周面に当接する摩擦支持部材を着脱可能に配設して、前記配管を該配管とバンド抱持部との間に摩擦支持部材を介在させた状態で抱持支持することにより、熱変化による軸方向伸縮やウォーターハンマー現象等によって軸方向に揺動乃至は移動する配管を位置ズレを抑制乃至は防止した状態で支持する機能を有するものであり、
前記バンド抱持部の内周面に接する側である前記摩擦支持部材の裏面に凸部が設けられており、該凸部を前記複数の掛止孔から選択される任意の掛止孔に入り込ませることによって前記摩擦支持部材を前記バンド抱持部に取付可能な構成であること、
を特徴とする請求項１に記載の配管吊下支持具。
【請求項５】
前記摩擦支持部材が、配管との当接部分に少なくとも高摩擦性材料を有する構成であることを特徴とする請求項４に記載の配管吊下支持具。
【請求項６】
付加する任意の機能を有する部材が、
配管を抱持するバンド抱持部の内周面に、抱持する配管の外周面に当接する制振支持部材を着脱可能に配設して、前記配管を該配管とバンド抱持部との間に制振支持部材を介在させた状態で抱持支持することにより、配管内を移動する流体による振動（ウォーターハンマー現象）による配管の揺動・振動を抑制乃至は防止した状態で制振支持する機能を有するものであり、
前記バンド抱持部の内周面に接する側である前記制振支持部材の裏面に凸部が設けられており、該凸部を前記複数の掛止孔から選択される任意の掛止孔に入り込ませることによって前記制振支持部材を前記バンド抱持部に取付可能な構成であること、
を特徴とする請求項１に記載の配管吊下支持具。
【請求項７】
前記制振支持部材が、配管との当接部分に少なくとも衝撃・振動吸収材料を有する構成であることを特徴とする請求項６に記載の配管支持具。
【請求項８】
付加する任意の機能を有する部材が、
吊りボルトから１点吊下げ支持される配管吊下支持具のバンド抱持部に隣接した状態で１つ又は複数の別なる配管支持具のバンド抱持部が連結部材によって接続可能であり、この別なるバンド抱持部に別なる配管を抱持することにより、複数本の配管を並列重連状態で吊下支持する機能を有するものであり、
前記別なる配管支持具のバンド抱持部には、長孔部が円環方向に延伸した状態で形成されると共に該長孔部の長辺の一方又は両方に配管軸方向である横方向に切欠する複数の掛止孔の各々が長孔部に対して連設状態で形成されており、
前記の１点吊下げ支持される配管吊下支持具のバンド抱持部の複数の掛止孔から選択される任意の掛止孔に、前記連結部材の一端が挿通係止すると共に、別なる配管支持具のバンド抱持部の複数の掛止孔から選択される任意の掛止孔に前記連結部材の他端を挿通係止することにより、１点吊下げ支持される配管吊下支持具に別なる配管支持具を隣接した状態で接続可能な構成であること、
を特徴とする請求項１に記載の配管吊下支持具。
【請求項９】
前記連結部材が、割りピン・割り鋲・ブラッズピン・トグラー・針金材の如き結線材・結束バンド・ネジとナット・ボルトとナットのいずれかであることを特徴とする請求項８に記載の配管吊下支持具。
【請求項１０】
付加する任意の機能を有する部材が、
バンド抱持部に掛止部材が取付けられ、この掛止部材に、取付面に一端が固定されて斜めに吊下げられる１本又は複数本の斜め吊下支持杆の他端を接続して１点斜め支持又は複数点斜め支持の斜め吊下支持する構成を、吊りボルトによる１点吊下支持に追加することにより、取付面に配管を２点又は複数点吊下支持する機能を有するものであり、
前記バンド抱持部の複数の掛止孔から選択される任意の掛止孔に、前記掛止部材の他端が取付可能である構成であること、
を特徴とする請求項１に記載の配管吊下支持具。
【請求項１１】
前記掛止部材が、Ｌ字状又はＴ字状の棒状体・板状体・板状と棒状との組合せのいずれかの形状であり、Ｌ字又はＴ字の横線部分が前記掛止孔に掛止取付する構成であると共に、Ｌ字又はＴ字の縦線部分に斜め吊下支持杆の他端が接続する構成であることを特徴とする請求項１０に記載の配管吊下支持具。
【発明の詳細な説明】
【技術分野】
【０００１】
本発明は配管吊下支持具に関し、詳しくはバンド抱持部に任意の機能を有する部材を取付けることにより任意の機能を付加した状態で天井スラブ等の取付面に吊下支持することができる配管吊下支持具に関する。
【背景技術】
【０００２】
特許文献１〜３には、バンド抱持部の下方を回動可能なローラ構成とし、このローラによって配管を支持することにより、熱変化による軸方向伸縮やウォーターハンマー現象等によって軸方向に揺動乃至は移動する配管を伸縮・揺動・移動を許容した状態で支持する配管支持具が記載されている。
【０００３】
特許文献４には、摩擦係数の高い樹脂やゴムにより被覆したバンド抱持部によって配管を抱持支持することにより、配管軸方向への位置ズレを抑制乃至は防止した状態で配管を支持する配管支持具が記載されている。
【０００４】
特許文献５には、バンド抱持部と配管との間に、抱持部材・弾性部材・取付部材の３層からなる防震構成の部材を介在させた状態で配管を抱持支持することにより、配管内を移動する流体による振動（ウォーターハンマー現象）による配管の揺動・振動を抑制乃至は防止した状態で制振支持する配管支持具が記載されている。
【０００５】
特許文献６、７には、複数本の配管を並列重連状態で吊下支持する本発明者による先提案技術が記載されている。
【０００６】
特許文献８には、冷水管・温水管を断熱状態で抱持支持するための配管用断熱材の外周面に凹部を円環方向に形成し、この凹部に配管支持具のバンド抱持部が入り込ませることにより配管軸方向への位置ズレや脱落を抑制する構成の配管支持具が記載されている。
【０００７】
特許文献９には、取付面から斜め吊りされる斜め吊下支持杆を接続する係合部をバンド抱持部の外面に設けることにより配管を取付面から複数点吊下支持する配管支持具が記載されている。
【先行技術文献】
【特許文献】
【０００８】
【特許文献１】実開平０３−０００１９１号
【特許文献２】実開平０２−１４５３８２号
【特許文献３】実開昭６４−０３５２８３号
【特許文献４】実用新案登録第３１８７３６３号
【特許文献５】特許第３７１７７６６号
【特許文献６】特許第６３２６６８１号
【特許文献７】特許第６１６０７１９号
【特許文献８】特開２００２−１３９１９４号
【特許文献９】登録実用新案第３１４８３６１号
【発明の概要】
【発明が解決しようとする課題】
【０００９】
上記した特許文献１〜９等の記載の技術は、いずれも各々の機能に特化した専用の構成を有する配管支持具であるため、他の機能に転用することが困難であり、融通性や汎用性が低いという問題点を有している。
【００１０】
配管支持具は施工現場に多数用いられる部材であるため、各々の機能に絞られた配管支持具を多数種類、しかも多量に用意することは製造管理・在庫管理・出荷管理は勿論のこと、施工作業時の搬入・取付等に亘って煩雑であり、しかもコスト抑制が困難であるという問題点をも有している。
【００１１】
そこで本発明の課題は、製造管理・在庫管理・出荷管理の手間やコスト等を抑制することができ、施工現場での作業効率性が高く、種々の任意の機能を付加することができる汎用性に優れた配管吊下支持具を提供することにある。
【課題を解決するための手段】
【００１２】
上記課題を解決する本発明は下記構成を有する。
【００１３】
１．配管を抱持するバンド抱持部と該バンド抱持部の上端部に連接されたバンド端部を有して成る配管支持具であり、
天井スラブ等の取付面に吊下固定される吊りボルトに、タンバックルの如き吊下接続部材を介して前記バンド端部を接続することにより前記取付面から略鉛直状態で１点吊下支持が可能である配管吊下支持具において、
前記バンド抱持部には、長孔部が円環方向に延伸した状態で形成されると共に該長孔部の長辺の一方又は両方に配管軸方向である横方向に切欠する複数の掛止孔の各々が長孔部に対して連設状態で形成されており、
この複数の掛止孔から選択される任意の掛止孔に、任意の機能を有する部材を取付けることにより、配管の１点吊下支持に加えて任意の機能を付加することが可能な構成を有することを特徴とする配管吊下支持具。
【００１４】
２．付加する任意の機能を有する部材が、
配管を抱持するバンド抱持部の内周面に、抱持する配管の外周面に当接する滑り支持部材を着脱可能に配設して、前記配管を該配管とバンド抱持部との間に滑り支持部材を介在させた状態で抱持支持することにより、熱変化による軸方向伸縮やウォーターハンマー現象等によって軸方向に揺動乃至は移動する配管を伸縮・揺動・移動を許容した状態で支持する機能を有するものであり、
前記バンド抱持部の内周面に接する側である前記滑り支持部材の裏面に凸部が設けられており、該凸部を前記複数の掛止孔から選択される任意の掛止孔に入り込ませることによって前記滑り支持部材を前記バンド抱持部に取付可能な構成であること、
を特徴とする上記１に記載の配管吊下支持具。
【００１５】
３．前記滑り支持部材が、配管との当接部分に少なくとも低摩擦性材料を有する構成であることを特徴とする上記２に記載の配管吊下支持具。
【００１６】
４．付加する任意の機能を有する部材が、
配管を抱持するバンド抱持部の内周面に、抱持する配管の外周面に当接する摩擦支持部材を着脱可能に配設して、前記配管を該配管とバンド抱持部との間に摩擦支持部材を介在させた状態で抱持支持することにより、熱変化による軸方向伸縮やウォーターハンマー現象等によって軸方向に揺動乃至は移動する配管を位置ズレを抑制乃至は防止した状態で支持する機能を有するものであり、
前記バンド抱持部の内周面に接する側である前記摩擦支持部材の裏面に凸部が設けられており、該凸部を前記複数の掛止孔から選択される任意の掛止孔に入り込ませることによって前記摩擦支持部材を前記バンド抱持部に取付可能な構成であること、
を特徴とする上記１に記載の配管吊下支持具。
【００１７】
５．前記摩擦支持部材が、配管との当接部分に少なくとも高摩擦性材料を有する構成であることを特徴とする上記４に記載の配管吊下支持具。
【００１８】
６．付加する任意の機能を有する部材が、
配管を抱持するバンド抱持部の内周面に、抱持する配管の外周面に当接する制振支持部材を着脱可能に配設して、前記配管を該配管とバンド抱持部との間に制振支持部材を介在させた状態で抱持支持することにより、配管内を移動する流体による振動（ウォーターハンマー現象）による配管の揺動・振動を抑制乃至は防止した状態で制振支持する機能を有するものであり、
前記バンド抱持部の内周面に接する側である前記制振支持部材の裏面に凸部が設けられており、該凸部を前記複数の掛止孔から選択される任意の掛止孔に入り込ませることによって前記制振支持部材を前記バンド抱持部に取付可能な構成であること、
を特徴とする上記１に記載の配管吊下支持具。
【００１９】
７．前記制振支持部材が、配管との当接部分に少なくとも衝撃・振動吸収材料を有する構成であることを特徴とする上記６に記載の配管支持具。
【００２０】
８．付加する任意の機能を有する部材が、
吊りボルトから１点吊下げ支持される配管吊下支持具のバンド抱持部に隣接した状態で１つ又は複数の別なる配管支持具のバンド抱持部が連結部材によって接続可能であり、この別なるバンド抱持部に別なる配管を抱持することにより、複数本の配管を並列重連状態で吊下支持する機能を有するものであり、
前記別なる配管支持具のバンド抱持部には、長孔部が円環方向に延伸した状態で形成されると共に該長孔部の長辺の一方又は両方に配管軸方向である横方向に切欠する複数の掛止孔の各々が長孔部に対して連設状態で形成されており、
前記の１点吊下げ支持される配管吊下支持具のバンド抱持部の複数の掛止孔から選択される任意の掛止孔に、前記連結部材の一端が挿通係止すると共に、別なる配管支持具のバンド抱持部の複数の掛止孔から選択される任意の掛止孔に前記連結部材の他端を挿通係止することにより、１点吊下げ支持される配管吊下支持具に別なる配管支持具を隣接した状態で接続可能な構成であること、
を特徴とする上記１に記載の配管吊下支持具。
【００２１】
９．前記連結部材が、割りピン・割り鋲・ブラッズピン・トグラー・針金材の如き結線材・結束バンド・ネジとナット・ボルトとナットのいずれかであることを特徴とする上記８に記載の配管吊下支持具。
【００２２】
１０．付加する任意の機能を有する部材が、
バンド抱持部に掛止部材が取付けられ、この掛止部材に、取付面に一端が固定されて斜めに吊下げられる１本又は複数本の斜め吊下支持杆の他端を接続して１点斜め支持又は複数点斜め支持の斜め吊下支持する構成を、吊りボルトによる１点吊下支持に追加することにより、取付面に配管を２点又は複数点吊下支持する機能を有するものであり、
前記バンド抱持部の複数の掛止孔から選択される任意の掛止孔に、前記掛止部材の他端が取付可能である構成であること、
を特徴とする上記１に記載の配管吊下支持具。
【００２３】
１１．前記掛止部材が、Ｌ字状又はＴ字状の棒状体・板状体・板状と棒状との組合せのいずれかの形状であり、Ｌ字又はＴ字の横線部分が前記掛止孔に掛止取付する構成であると共に、Ｌ字又はＴ字の縦線部分に斜め吊下支持杆の他端が接続する構成であることを特徴とする上記１０に記載の配管吊下支持具。
【発明の効果】
【００２４】
請求項１に示す発明によれば、製造管理・在庫管理・出荷管理の手間やコスト等を抑制することができ、施工現場での作業効率性が高く、種々の任意の機能を付加することができる汎用性に優れた配管吊下支持具を提供することができる。
【００２５】
特に、配管吊下支持具そのものは一般に広く用いられている基本構成のものに長孔部及び掛止孔を穿つだけで得ることができ、これに種々の機能を有する簡易な構成の部材、いわゆるアタッチメントを付加するだけで種々の機能を発揮する配管吊下支持具とすることができる。
【００２６】
請求項２に示す発明によれば、アタッチメントとして滑り支持部材を付加したので、配管の伸縮・揺動・移動を許容した状態で配管を支持することができる。また、この伸縮・揺動・移動を許容した状態での配管支持は、回動するローラ及び回動軸等の可動部材を設けていないため永続的な支持が可能である。更に、滑り支持部材はバンド抱持部に着脱可能に配設されているため、滑り性が低下した場合には滑り支持部材を交換することで容易に対処することができる。
【００２７】
請求項３に示す発明によれば、低摩擦材料によって伸縮・揺動・移動を許容した状態での配管支持が可能である。
【００２８】
請求項４に示す発明によれば、アタッチメントとして摩擦支持部材を付加したので、配管軸方向への位置ズレを抑制乃至は防止した状態で配管を支持することができる。また、この摩擦支持部材による配管支持は、バンド抱持部の内周面に取付けるだけで可能であり、しかも取り外しも容易であるため、施工現場において摩擦を必要とする配管支持と摩擦を必要としない配管支持との間で配管支持具を融通することが可能である。更に、摩擦支持部材はバンド抱持部に着脱可能に配設されているため、摩擦力が低下した場合には摩擦支持部材を交換することで容易に対処することができる。
【００２９】
請求項５に示す発明によれば、高摩擦材料によって配管軸方向への位置ズレを抑制乃至は防止した状態での配管支持が可能である。
【００３０】
請求項６に示す発明によれば、アタッチメントとして制振支持部材を付加したので、配管の揺動・振動を抑制乃至は防止した状態で配管を制振支持することができる。また、この制振支持部材による配管支持は、バンド抱持部の内周面に取付けるだけで可能であり、しかも取り外しも容易であるため、施工現場において制振支持を必要とする配管支持と制振支持を必要としない配管支持との間で配管支持具を融通することが可能である。更に、制振支持部材はバンド抱持部に着脱可能に配設されているため、衝撃・振動吸収力が低下した場合には制振支持部材を交換することで容易に対処することができる。
【００３１】
請求項７に示す発明によれば、衝撃・振動吸収材料によって配管の揺動・振動を抑制乃至は防止した状態での配管の制振支持が可能である。
【００３２】
請求項８に示す発明によれば、アタッチメントとして１点吊下支持の配管吊下支持具に別なる配管支持具を接続する連結部材を付加したので、複数本の配管を並列重連状態で支持することができる。この連結部材は、各々のバンド抱持部の円環方向に複数形成された掛止孔の任意の位置に挿通掛止することで前記した接続が可能である。
【００３３】
請求項９に示す発明によれば、連結部材が連結具・結束具・接続具として調達と取付けが容易な割りピン・割り鋲・ブラッズピン・トグラー・針金材の如き結線材・結束バンド・ネジとナット・ボルトとナットを用いているため低コストであると共に良好な作業性を有する。
【００３４】
請求項１０に示す発明によれば、アタッチメントして斜め吊下支持杆が接続される掛止部材を付加したので、複数点吊下支持によって防振（防震）性を有する配管吊下支持具とすることができる。掛止部材は、バンド抱持部の任意の位置の掛止孔に取付可能であるため、種々機器や種々様々な配管が錯綜するような設置場所や狭小スペースであっても斜め吊下支持杆のバンド抱持部への接続位置と接続本数を適宜選択することが可能である。しかも、バンド抱持部の上端部分のみならず中間部分や下端部分にも接続可能なため、強い横揺れに対しても充分な防振（防震）性を発揮することができる。
【００３５】
請求項１１に示す発明によれば、掛止部材が配管設備用資材として調達が容易なＬ字状部材やＴ字状部材を用いているため低コストで製造可能である。
【図面の簡単な説明】
【００３６】
【図１】本発明に係る配管吊下支持具の一実施例を示す５面図（正面図、平面図、底面図、左側面図、Ａ−Ａ線断面図）
【図２】滑り支持部材を付加して配管を支持する実施例を示す概略正面図（配管軸方向から見た図）
【図３】摩擦支持部材を付加して配管を支持する実施例を示す概略正面図（配管軸方向から見た図）
【図４】制振支持部材を付加して配管を支持する実施例を示す概略正面図（配管軸方向から見た図）
【図５】連結部材を付加して複数本の配管を並列重連状態で支持する実施例を示す概略正面図（配管軸方向から見た図）
【図６】連結部材による接続状態を示す要部概略説明断面図
【図７】本発明に係る配管吊下支持具の他の実施例を示す５面図（正面図、平面図、底面図、左側面図、Ａ−Ａ線断面図）
【図８】掛止部材を付加して斜め吊下支持杆を接続することにより配管を複数点吊下支持する実施例を示す概略正面図（配管軸方向から見た図）
【図９】掛止部材の一例を示す５面図（正面図、平面図、底面図、左側面図、Ｂ−Ｂ線断面図）
【図１０】掛止部材のバンド抱持部への取付状態を示す要部概略説明図
【発明を実施するための形態】
【００３７】
次に、添付の図面に従って本発明を実施例に基づき詳細に説明する。
【００３８】
本発明に係る配管吊下支持具は、バンド抱持部に任意の機能を有する部材を取付けることにより任意の機能を付加した状態で天井スラブ等の取付面に吊下支持することができるものである。
【００３９】
上記の任意の機能が付加される配管吊下支持具１の具体的構成例としては、図１に示すように、
配管Ｐを抱持するバンド抱持部１１と該バンド抱持部１１の上端部に連接されたバンド端部１３を有して成り、
天井スラブ等の取付面３に吊下固定される吊りボルト４に、タンバックルの如き吊下接続部材５を介して前記バンド端部１３を接続することにより前記取付面３から略鉛直状態で１点吊下支持が可能である構成において、
前記バンド抱持部１１には、長孔部１１Ａが円環方向に延伸した状態で形成されると共に該長孔部１１Ａの長辺の一方又は両方（本実施例では一方のみ）に配管軸方向である横方向に切欠する複数の掛止孔１１Ｂの各々が長孔部１１Ａに対して連設状態で形成されており、
この複数の掛止孔１１Ｂから選択される任意の掛止孔１１Ｂに、例えば、下記（１）〜（５）から選ばれる任意の機能を有する部材２Ａ〜２Ｅを取付けることにより、配管Ｐの１点吊下支持に加えて任意の機能を付加することが可能な構成を有することを主構成とするものである。
【００４０】
尚、符号６は吊下接続部材５にバンド端部１３を接続固定するためのボルト・ナットを示し、符号１２はバンド抱持部１１の下端部分を接続する組式又は蝶番式（本実施例では蝶番式）の如き接続部を示す。接続部１２は、蝶番式に代えて組式であってもよいし、或いは、バンド抱持部１１を接続部１２の無い１本構成とした所謂提灯式の配管支持具等の公知公用のものを用いてもよい。
【００４１】
付加する任意の機能としては、
（１）熱変化による軸方向伸縮やウォーターハンマー現象等によって軸方向に揺動乃至は移動する配管を伸縮・揺動・移動を許容した状態で支持する機能
（２）熱変化による軸方向伸縮やウォーターハンマー現象等によって軸方向に揺動乃至は移動する配管を位置ズレを抑制乃至は防止した状態で支持する機能
（３）配管内を移動する流体による振動（ウォーターハンマー現象）による配管の揺動・振動を抑制乃至は防止した状態で制振支持する機能
（４）吊りボルトから１点吊下げ支持される配管吊下支持具に、１つ又は複数の別なる配管支持具を接続することにより複数本の配管を並列重連状態で吊下支持する機能
（５）取付面に一端が固定されて斜めに吊下げられる斜め吊下支持杆の他端を接続する掛止部材をバンド抱持部に取付けることにより、吊りボルトによる１点吊下支持に斜め吊下支持を追加する機能
等を挙げることができる。
【００４２】
抱持支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００４３】
以下、本発明の構成について更に詳説する。
【００４４】
本発明の配管吊下支持具１は、この種の配管支持具に用いられる材料として公知公用のものを特別の制限なく用いることができ、好ましくはステンレスやその他の金属製である。また、任意の機能を有する部材２Ａ〜２Ｅについては、その機能に応じる最適材料を用いることができ、具体的な材料や構成については機能毎に下記する。
【００４５】
先ず、上記（１）の機能及び該機能を有する構成について説明する。
【００４６】
（１）の機能は、熱変化による軸方向伸縮やウォーターハンマー現象等によって軸方向に揺動乃至は移動する配管Ｐを伸縮・揺動・移動を許容した状態で支持する機能であり、具体的構成としては、図２に示すように、
配管Ｐを抱持するバンド抱持部１１の内周面に、抱持する配管Ｐの外周面に当接する滑り支持部材２Ａを着脱可能に配設して、前記配管Ｐを該配管Ｐとバンド抱持部１１との間に滑り支持部材２Ａを介在させた状態で抱持支持することにより、熱変化による軸方向伸縮やウォーターハンマー現象等によって軸方向に揺動乃至は移動する配管Ｐを伸縮・揺動・移動を許容した状態で支持する機能を有するものであり、
前記バンド抱持部１１の内周面に接する側である前記滑り支持部材２Ａの裏面に凸部２１Ａが設けられており、該凸部２１Ａを前記複数の掛止孔１１Ｂから選択される任意の掛止孔１１Ｂに入り込ませることによって前記滑り支持部材２Ａを前記バンド抱持部１１に取付可能な構成であること、
を主構成とするものである。
【００４７】
上記の掛止孔１１Ｂに凸部２１Ａを入り込ませることによってバンド抱持部１１に取付けられる滑り支持部材２Ａとしては、少なくともその表面に低摩擦性材料を配設した構成であるか、低摩擦性材料のみで又は低摩擦性材料を含む材料で形成した構成であるか、のいずれかの構成であることが好ましい。また、滑り支持部材２Ａを合成樹脂によって形成し、その表面にフッ素樹脂シートやフッ素樹脂フィルム等の低摩擦性材料製の薄膜体を貼付する構成とすることもできる。
【００４８】
滑り支持部材２Ａに用いられる低摩擦性材料としては、例えば、ニトリルシリコンゴムや、ポリアミド（ＰＡ）、ポリアセタール（ＰＯＭ）、ポリテトラフルオロエチレン（ＰＴＦＥ：フッ素樹脂）に代表される低摩擦性樹脂等を挙げることができ、中でも最も一般的に用いられているフッ素樹脂が好ましい。
【００４９】
滑り支持部材２Ａの形状としては、バンド抱持部１１の内周面に沿って配設されると共に該バンド抱持部１１に抱持支持される配管Ｐの外周面に沿った状態で当接する形状、即ち、本実施例に示すような矩形の薄板状であることが好ましい。薄板状に形成することにより、配管Ｐの外周面に面接触して安定した支持が可能となる。
【００５０】
滑り支持部材２Ａの裏面に設けられた凸部２１Ａは、薄板状の部分と一体成形されたものであることが好ましいが、別体構成であってもよい。この凸部２１Ａはバンド抱持部１１の長孔部１１Ａの掛止孔１１Ｂに入り込むことにより該バンド抱持部１１に滑り支持部材２Ａを取付固定する構成であるが、長孔部１１Ａの掛止孔１１Ｂからの抜け落ちを防止又は抑制するために凸部２１Ａの太さは該長孔部１１Ａの掛止孔１１Ｂの高さ（円環方向における高さ）と略一致乃至は大とすることによって長孔部１１Ａの掛止孔１１Ｂに嵌合又は圧入して固定する構成であることが好ましい。また、凸部２１Ａの先端部分を膨大形状とすることにより、膨大した部分が長孔部１１Ａ又は掛止孔１１Ｂを圧入通過して抜け落ちを防止する構成とすることもできる。
【００５１】
図２に示す本実施例では、４枚の薄板状の滑り支持部材２Ａを抱持バンド１１の内周面の４箇所に面状に取付けており、バンド抱持部１１の下方に取付けられた２つが主として抱持する配管Ｐの荷重が掛かる部分であり、上方に形成された２つが配管Ｐがウォーターハンマー現象等によって該配管Ｐが上下に暴れる状態になった場合等に当接する部分である。
【００５２】
以上、前記（１）の機能を有する本発明の配管吊下支持具１は、図２に示すようにバンド抱持部１１に配管Ｐを抱持支持させることによって、バンド抱持部１１の内周面に配設された滑り支持部材２Ａにより、配管Ｐの伸縮・揺動・移動を許容した状態で該配管Ｐを支持することができる。また、この伸縮・揺動・移動を許容した状態での配管支持は、回動するローラ及び回動軸等の可動部材を設けていないため永続的な支持が可能である。更に、滑り支持部材２Ａはバンド抱持部１１に着脱可能に配設されているため、滑り性が低下した場合には滑り支持部材２Ａを交換することで容易に対処することができる。
【００５３】
次に、上記（２）の機能及び該機能を有する構成について説明する。
【００５４】
（２）の機能は、熱変化による軸方向伸縮やウォーターハンマー現象等によって軸方向に揺動乃至は移動する配管Ｐを位置ズレを抑制乃至は防止した状態で支持する機能であり、具体的構成としては、図３に示すように、
配管Ｐを抱持するバンド抱持部１１の内周面に、抱持する配管Ｐの外周面に当接する摩擦支持部材２Ｂを着脱可能に配設して、前記配管Ｐを該配管Ｐとバンド抱持部１１との間に摩擦支持部材２Ｂを介在させた状態で抱持支持することにより、熱変化による軸方向伸縮やウォーターハンマー現象等によって軸方向に揺動乃至は移動する配管Ｐを位置ズレを抑制乃至は防止した状態で支持する機能を有するものであり、
前記バンド抱持部１１の内周面に接する側である前記摩擦支持部材２Ｂの裏面に凸部２１Ｂが設けられており、該凸部２１Ｂを前記複数の掛止孔１１Ｂから選択される任意の掛止孔１１Ｂに入り込ませることによって前記摩擦支持部材２Ｂを前記バンド抱持部１１に取付可能な構成であること、
を主構成とするものである。
【００５５】
上記の掛止孔１１Ｂに凸部２１Ｂを入り込ませることによってバンド抱持部１１に取付けられる摩擦支持部材２Ｂとしては、少なくともその表面に高摩擦性材料を配設した構成であるか、高摩擦性材料のみで又は高摩擦性材料を含む材料で形成した構成であるか、のいずれかの構成であることが好ましい。また、摩擦支持部材２Ｂを合成樹脂によって形成し、その表面に高密度ウレタン樹脂シートや高密度ウレタン樹脂フィルム等の高摩擦性材料製の薄膜体を貼付する構成とすることもできる。
【００５６】
摩擦支持部材２Ｂに用いられる高摩擦性材料としては、例えば、高密度ウレタン樹脂や、シリコーンゴム、天然ゴム等に代表される高摩擦性樹脂等を挙げることができ、中でも高密度ウレタン樹脂が耐久性、耐熱性、高い摩擦力等の点で好ましい。
【００５７】
摩擦支持部材２Ｂの形状としては、バンド抱持部１１の内周面に沿って配設されると共に該バンド抱持部１１に抱持支持される配管Ｐの外周面に沿った状態で当接する形状、即ち、本実施例に示すような矩形の薄板状であることが好ましい。薄板状に形成することにより、配管Ｐの外周面に面接触して安定した支持が可能となる。
【００５８】
摩擦支持部材２Ｂの裏面に設けられた凸部２１Ｂは、薄板状の部分と一体成形されたものであることが好ましいが、別体構成であってもよい。この凸部２１Ｂはバンド抱持部１１の長孔部１１Ａの掛止孔１１Ｂに入り込むことにより該バンド抱持部１１に摩擦支持部材２Ｂを取付固定する構成であるが、長孔部１１Ａの掛止孔１１Ｂからの抜け落ちを防止又は抑制するために凸部２１Ｂの太さは該長孔部１１Ａの掛止孔１１Ｂの高さ（円環方向における高さ）と略一致乃至は大とすることによって長孔部１１Ａの掛止孔１１Ｂに嵌合又は圧入して固定する構成であることが好ましい。また、凸部２１Ｂの先端部分を膨大形状とすることにより、膨大した部分が長孔部１１Ａ又は掛止孔１１Ｂを圧入通過して抜け落ちを防止する構成とすることもできる。
【００５９】
図３に示す本実施例では、４枚の薄板状の摩擦支持部材２Ｂを抱持バンド１１の内周面の４箇所に面状に取付けており、バンド抱持部１１の下方に取付けられた２つが主として抱持する配管Ｐの荷重が掛かる部分であり、上方に形成された２つが配管Ｐがウォーターハンマー現象等によって該配管Ｐが上下に暴れる状態になった場合等に当接する部分である。
【００６０】
以上、前記（２）の機能を有する本発明の配管吊下支持具１は、図３に示すようにバンド抱持部１１に配管Ｐを抱持支持させることによって、バンド抱持部１１の内周面に配設された摩擦支持部材２Ｂにより、配管Ｐが伸縮・揺動・移動した際であっても配管軸方向への位置ズレを抑制乃至は防止した状態で該配管Ｐを支持することができる。また、この摩擦支持部材２Ｂによる配管支持は、バンド抱持部１１の内周面に取付けるだけで可能であり、しかも取り外しも容易であるため、施工現場において摩擦を必要とする配管支持と摩擦を必要としない配管支持との間で配管吊下支持具１を融通することが可能である。更に、摩擦支持部材２Ｂはバンド抱持部１１に着脱可能に配設されているため、摩擦力が低下した場合には摩擦支持部材２Ｂを交換することで容易に対処することができる。
【００６１】
次に、上記（３）の機能及び該機能を有する構成について説明する。
【００６２】
（３）の機能は、配管内を移動する流体による振動（ウォーターハンマー現象）による配管Ｐの揺動・振動を抑制乃至は防止した状態で制振支持する機能であり、具体的構成としては、図４に示すように、
配管Ｐを抱持するバンド抱持部１１の内周面に、抱持する配管Ｐの外周面に当接する制振支持部材２Ｃを着脱可能に配設して、前記配管Ｐを該配管Ｐとバンド抱持部１１との間に制振支持部材２Ｃを介在させた状態で抱持支持することにより、配管Ｐ内を移動する流体による振動（ウォーターハンマー現象）による配管Ｐの揺動・振動を抑制乃至は防止した状態で制振支持する機能を有するものであり、
前記バンド抱持部１１の内周面に接する側である前記制振支持部材２Ｃの裏面に凸部２１Ｃが設けられており、該凸部２１Ｃを前記複数の掛止孔１１Ｂから選択される任意の掛止孔１１Ｂに入り込ませることによって前記制振支持部材２Ｃを前記バンド抱持部１１に取付可能な構成であること、
を主構成とするものである。
【００６３】
上記の掛止孔１１Ｂに凸部２１Ａを入り込ませることによってバンド抱持部１１に取付けられる制振支持部材２Ｃとしては、少なくともその表面に衝撃・振動吸収材料を配設した構成であるか、衝撃・振動吸収材料のみで又は衝撃・振動吸収材料を含む材料で形成した構成であるか、のいずれかの構成であることが好ましい。また、制振支持部材２Ｃを合成樹脂によって形成し、その表面に低弾性ゴムシート等の衝撃・振動吸収材料製の薄膜体を貼付する構成とすることもできる。
【００６４】
制振支持部材２Ｃに用いられる衝撃・振動吸収材料としては、公知公用の衝撃・振動吸収材料を挙げることができ、例えば、低反発性ウレタン、低反発発泡樹脂（例えば、スチレン系エラストマー架橋発泡体等）、低弾性ゴム（例えば、ハネナイト（登録商標）、クロロプレンゴム等）が好ましく、中でも、低反発性ウレタンが高い衝撃・振動吸収性能を有していながら低価格であるためとりわけ好ましい。
【００６５】
制振支持部材２Ｃの形状としては、バンド抱持部１１の内周面に沿って配設されると共に該バンド抱持部１１に抱持支持される配管Ｐの外周面に沿った状態で当接する形状、即ち、本実施例に示すような矩形の板状であって表面に凹凸が形成された形状であることが好ましい。板状に形成することにより、配管Ｐの外周面に面接触して安定した支持が可能となると共に凹凸部分が衝撃・振動をより吸収するので制振効果がより高くなる。
【００６６】
制振支持部材２Ｃの裏面に設けられた凸部２１Ｃは、板状の部分と一体成形されたものであることが好ましいが、別体構成であってもよい。この凸部２１Ｃはバンド抱持部１１の長孔部１１Ａの掛止孔１１Ｂに入り込むことにより該バンド抱持部１１に制振支持部材２Ｃを取付固定する構成であるが、長孔部１１Ａの掛止孔１１Ｂからの抜け落ちを防止又は抑制するために凸部２１Ｃの太さは該長孔部１１Ａの掛止孔１１Ｂの高さ（円環方向における高さ）と略一致乃至は大とすることによって長孔部１１Ａの掛止孔１１Ｂに嵌合又は圧入して固定する構成であることが好ましい。また、凸部２１Ｃの先端部分を膨大形状とすることにより、膨大した部分が長孔部１１Ａ又は掛止孔１１Ｂを圧入通過して抜け落ちを防止する構成とすることもできる。
【００６７】
図４に示す本実施例では、４枚の板状の制振支持部材２Ｃを抱持バンド１１の内周面の４箇所に面状に取付けており、バンド抱持部１１の下方に取付けられた２つが主として抱持する配管Ｐの荷重が掛かる部分であり、上方に取付けられた２つが配管Ｐがウォーターハンマー現象等によって該配管Ｐが上下に暴れる状態になった場合等に当接する部分である。
【００６８】
以上、前記（３）の構成を有する本発明の配管吊下支持具１は、図４に示すようにバンド抱持部１１に配管Ｐを抱持支持させることによって、バンド抱持部１１の内周面に配設された制振支持部材２Ｃにより、配管Ｐが揺動・振動した際であっても配管の揺動・振動を抑制乃至は防止した状態で該配管Ｐを制振支持することができる。また、この制振支持部材２Ｃによる配管の制振支持は、バンド抱持部１１の内周面に取付けるだけで可能であり、しかも取り外しも容易であるため、施工現場において制振支持を必要とする配管支持と制振支持を必要としない配管支持との間で配管吊下支持具１を融通することが可能である。更に、制振支持部材２Ｃはバンド抱持部１１に着脱可能に配設されているため、衝撃・振動吸収力が低下した場合には制振支持部材２Ｃを交換することで容易に対処することができる。
【００６９】
次に、上記（４）の機能及び該機能を有する構成について説明する。
【００７０】
（４）の機能は、吊りボルト４から１点吊下げ支持される配管吊下支持具１に、１つ又は複数の別なる配管支持具７・８を接続することにより複数本（本実施例では３本）の配管Ｐ・Ｐ２・Ｐ３を並列重連状態で吊下支持する機能であり、具体的構成としては、図５に示すように、
吊りボルト４から１点吊下げ支持される配管吊下支持具１のバンド抱持部１１に隣接した状態で１つ又は複数（本実施例では２つ）の別なる配管支持具７・８のバンド抱持部７１・８１が連結部材２Ｄによって各々接続可能であり、この別なるバンド抱持部７・８に別なる配管Ｐ２・Ｐ３を抱持することにより、複数本（本実施例では計３本）の配管Ｐ・Ｐ２・Ｐ３を並列重連状態で吊下支持する機能を有するものであり、
前記別なる配管支持具７・８のバンド抱持部７１・８１には、前記バンド抱持部１１の長孔部１１Ａと同様に長孔部が円環方向に延伸した状態で形成されると共に該長孔部の長辺の一方又は両方（本実施例では一方のみ）に配管軸方向である横方向に切欠する複数の掛止孔７１Ｂ（バンド抱持部８１の掛止孔は図示を省略）の各々が長孔部に対して連設状態で形成されており、
前記の１点吊下げ支持される配管吊下支持具１のバンド抱持部１１の複数の掛止孔１１Ｂから選択される任意の掛止孔１１Ｂに、前記連結部材２Ｄの一端が挿通係止すると共に、別なる配管支持具７・８のバンド抱持部７１・８１の複数の掛止孔７１Ｂ（バンド抱持部８１の掛止孔は図示を省略）から選択される任意の掛止孔７１Ｂ（バンド抱持部８１の掛止孔は図示を省略）に前記連結部材２Ｄの他端を挿通係止することにより、１点吊下げ支持される配管吊下支持具１に別なる配管支持具７・８を隣接した状態で接続可能な構成であること、
を特徴とする請求項１に記載の配管吊下支持具。
【００７１】
本実施例では、別なる配管Ｐ２・Ｐ３を抱持支持する別なる配管支持具７・８として、バンド抱持部７１・８１の両端部にバンド端部７３・８３が連設された構成、即ち、配管吊下支持具１と同様の構成を有するものが用いられている。符号７４・８４はバンド端部７３・８３を閉塞固定するためのボルト・ナットを示し、符号７２・８２は、バンド抱持部７１・８１の下端部分を接続する組式又は蝶番式（本実施例では蝶番式）の如き接続部を示す。接続部７２・８２は、蝶番式に代えて組式であってもよいし、或いは、バンド抱持部７１・８１を接続部７２・８２の無い１本構成とした所謂提灯式の配管支持具等の公知公用のものを用いてもよい。
また、バンド抱持部７１・８１に形成される長孔部及び掛止孔についても、配管吊下支持具１のバンド抱持部１１に形成される長孔部１１Ａ及び掛止孔１１Ｂと同様の構成を採ることができる。
更に、この別なる配管支持具７・８は、前記した配管吊下支持具１と同様に、この種の配管支持具に用いられる材料として公知公用のものを特別の制限なく用いることができ、好ましくはステンレスやその他の金属製、或いは合成樹脂製である。
【００７２】
連結部材２Ｄを用いた接続構成は、図６に示すように、配管抱持前の配管吊下支持具１のバンド抱持部１１の内側から連結部材２Ｄを長孔部１１Ａに挿通し、連結部材２Ｄを任意の位置の掛止孔１１Ｂの位置まで移動させてから、連結部材２Ｄを横方向（配管軸方向）に移動させることにより選択した掛止孔１１Ｂ内に入り込ませ、次に別なる配管支持具７のバンド抱持部７１の長孔部に連設する複数の掛止孔７１Ｂの任意の位置に連結部材２Ｄの先端を挿通した後、この連結部材２Ｄの先端を例えば割り開くことにより接続することができる。
尚、配管吊下支持具１のバンド抱持部１１と別なる配管支持具８のバンド抱持部８１との接続構成、並びに別なる配管Ｐ３の抱持構成については説明と図を省略するが、前記した別なる配管支持具７と同様の構成によって接続することができる。
【００７３】
かかる挿通係止による接続構成によれば、バンド抱持部１１に配管Ｐを抱持させることによって連結部材２Ｄの頭部が抑えつけられるので掛止孔１１Ｂに安定した状態で挿通係止固定することができ、バンド抱持部７１に別なる配管Ｐ２を抱持させることによって連結部材２Ｄの先端についても例えば割り開かれた状態で配管Ｐ２の外周面が当接状態で押圧することになるので抜け落ちることなく安定した状態で挿通係止固定することができる。
【００７４】
連結部材２Ｄは、割りピン・割り鋲・ブラッズピン・トグラー・針金材の如き結線材・結束バンド・ネジとナット・ボルトとナットのいずれかであることが好ましく、本実施例では割りピンが用いられている。連結部材２Ｄは、一般に広く用いられている簡易な構成の連結部材を用いているので低コストで提供することができる。
【００７５】
次に、上記（５）の機能及び該機能を有する構成について説明する。
【００７６】
（５）の機能は、取付面３に一端が固定されて斜めに吊下げられる斜め吊下支持杆２２Ｅの他端を接続する掛止部材２Ｅをバンド抱持部１１に取付けることにより、吊りボルト４による１点吊下支持に斜め吊下支持杆２２Ｅによる斜め吊下支持を追加する機能であり、具体的構成としては、図８に示すように、
バンド抱持部１１に掛止部材２Ｅが取付けられ、この掛止部材２Ｅに、取付面３に一端が固定されて斜めに吊下げられる１本又は複数本（本実施例では２本）の斜め吊下支持杆２２Ｅの他端を接続して１点斜め支持又は複数点斜め支持（本実施例では２点斜め支持）の斜め吊下支持する構成を、吊りボルトによる１点吊下支持に追加することにより、取付面３に配管Ｐを２点又は複数点吊下支持（本実施例では３点吊下支持）する機能を有するものであり、
前記バンド抱持部１１の複数の透孔１１Ａから選択される１つ又は複数に、前記掛止部材２Ｅが取付可能である構成であること、
を主構成とするものである。
【００７７】
バンド抱持部１１に形成される長孔部１１Ａは、掛止部材２Ｅを挿通可能であると共に挿通した掛止部材２Ｅを挿通したままの状態で円環方向に移動可能な幅（配管軸方向における幅）を有していることが好ましい。更に、この長孔部１１Ａに連設状態で切欠して形成されている掛止孔１１Ｂは掛止部材２Ｅを掛止可能な幅（円環方向における幅）と高さ（円環方向における高さ）を有していればよい。本実施例においては、図７に示すように長孔部１１Ａの幅（配管軸方向における幅）は、前記した図１に示す実施例における長孔部１１Ａよりも幅広構成を有している。
【００７８】
掛止部材２Ｅは、好ましくはＬ字状又はＴ字状の棒状体・板状体・板状と棒状との組合せのいずれかを有し、Ｌ字又はＴ字の横線部分がバンド抱持部１１の掛止孔１１Ｂに掛止取付する構成であると共に、Ｌ字又はＴ字の縦線部分に斜め吊下支持杆２２Ｅの他端が接続する構成であることが好ましい。
【００７９】
本実施例の掛止部材２Ｅは、図９に示すようにＴ字状の板状材構成を有し、Ｔ字の横線部分が掛止孔１１Ｂの内縁に掛止し、縦線部分が掛止孔１１Ｂからバンド抱持部１１の外側に突出した状態で該バンド抱持部１１に取付けられる構成を有している。尚、掛止部材２Ｅへの斜め吊下支持杆２２Ｅの他端の接続取付構成は、本実施例においては、図９に示すように掛止部材２Ｅに設けられた接続用透孔２１Ｅに斜め吊下支持杆２２Ｅの他端を挿通した後、図８に示すようにナット２３Ｅを螺合することによって行われる。
【００８０】
バンド抱持部１１の掛止孔１１Ｂへの掛止部材２Ｅの取付構成としては、図１０に示すように、配管抱持前のバンド抱持部１１の内側から掛止部材２Ｅを掛止孔１１Ｂに挿通して掛止する構成や、或いは、バンド抱持部１１の内側から掛止部材２Ｅを長孔部１１Ａに挿通し、掛止部材２Ｅを任意の位置の掛止孔１１Ｂの位置まで移動させてから、掛止部材２Ｅを横方向（配管軸方向）に移動させることにより選択した掛止孔１１Ｂ内に入り込ませて掛止する構成、により取付けることが好ましい。かかる取付構成によれば、バンド抱持部１１に配管Ｐを抱持させることによって掛止部材２Ｅのバンド抱持部１１への掛止部分（Ｔ字の横線部分）が抱持した配管Ｐの外周面によって押さえつけられて固定されることになる。従って、掛止部材２Ｅのバンド抱持部１１からの脱落を防ぐことができる。
【００８１】
本発明の配管吊下支持具１では、斜め吊下支持杆２２Ｅが接続される掛止部材２Ｅが、バンド抱持部１１の円環方向に形成された長孔部１１Ａに連設する複数の掛止孔１１Ｂのうちの任意の位置にある掛止孔１１Ｂに取付可能であるため、種々機器や種々様々な配管が錯綜するような設置場所や狭小スペースであっても斜め吊下支持杆２２Ｅのバンド抱持部１１への接続位置を適宜選択することが可能である。しかも、バンド抱持部１１の上端部分のみならず中間部分や下端部分にも接続可能なため、強い横揺れに対しても充分な防振（防震）性を発揮することができる。
【００８２】
以上、本発明に係る配管吊下支持具の実施例について説明したが、本発明は上記構成に限定されず、本発明の範囲内において種々の態様を採ることができる。
【符号の説明】
【００８３】
１  配管吊下支持具
１１  バンド抱持部
１１Ａ  長孔部
１１Ｂ  掛止孔
１２  接続部
１３  バンド端部
２Ａ  滑り支持部材
２１Ａ  凸部
２Ｂ  摩擦支持部材
２１Ｂ  凸部
２Ｃ  制振支持部材
２１Ｃ  凸部
２Ｄ  連結部材
２Ｅ  掛止部材
２１Ｅ  接続用透孔
２２Ｅ  斜め吊下支持杆
２３Ｅ  ナット
３  取付面
４  吊りボルト
５  吊下接続部材
６  ボルト・ナット
７  別なる配管支持具
７１  バンド抱持部
７１Ａ  透孔
７２  接続部
７３  バンド端部
７４  ボルト・ナット
８  別なる配管支持具
８１  バンド抱持部
８２  接続部
８３  バンド端部
８４  ボルト・ナット
Ｐ  配管
Ｐ２  別なる配管
Ｐ３  別なる配管
【図１】
2020153478.tif 000003
【図２】
2020153478.tif 000004
【図３】
2020153478.tif 000005
【図４】
2020153478.tif 000006
【図５】
2020153478.tif 000007
【図６】
2020153478.tif 000008
【図７】
2020153478.tif 000009
【図８】
2020153478.tif 000010
【図９】
2020153478.tif 000011
【図１０】
2020153478.tif 000012